(57)【要約】  【課題】  ゴミとなる剥離紙を不要とした貼るタイプの使い捨てカイロを提供する。  【解決手段】  通気性シート４と非通気性シート５からなる扁平状の袋体２内に発熱材１を封入してカイロ本体が形成される。袋体２を被貼付箇所に貼り付けるための貼付手段を具備する。貼付手段は、袋体２の外縁から連なる左右の基材面部５ａと、該基材面部の一面側に固定された貼付用テープ（Ｖテープ）１０からなる。貼付用テープ１０は二つ折り状に折り曲げられていて、その一半部が基材面部に固定された固定面１０ａ、他半部が展開面１０ｂをなす。固定面と展開面の互いに接離するそれぞれの内面において、展開面側の内面に粘着層１３を設け、固定面側の内面を剥離処理１４する。貼付用テープ１０は袋体２の外側に配置されるので、熱圧着により袋体２を形成する際の影響を受けない。また貼付用テープ１０は、二つ折り状の折畳み状態から展開可能であって、展開状態において粘着層１３が露呈し、被貼付箇所への貼り付けが可能となる。  【選択図】  図４
2008301935.tif 000002
【特許請求の範囲】
【請求項１】
通気性を有する扁平状の袋体内に発熱材を封入した使い捨てカイロであって、前記袋体を被貼付箇所に貼り付けるための貼付手段を備え、
前記貼付手段は、前記袋体の外縁から連なる基材面部と、該基材面部の一面側に固定された貼付部材からなり、
前記貼付部材は、テープ状又はシート状を成し、二つ折り状に折り曲げられた一半部分が前記基材面部に固定された固定面となり、他半部分が展開面となり、これら固定面と展開面の互いに接離するそれぞれの内面において、展開面側の内面に粘着層を設け、固定面側の内面を剥離処理して、
前記貼付部材が、前記袋体の外側に配置され、且つ二つ折り状の折畳み状態から展開可能であって、該展開状態において前記粘着層が露呈して被貼付箇所への貼り付けが可能となることを特徴とする使い捨てカイロ。
【請求項２】
前記袋体は外周を熱圧着して形成され、前記貼付部材が、該袋体の熱圧着部分の外側に配置されていることを特徴とする請求項１記載の使い捨てカイロ。
【請求項３】
前記基材面部は前記袋体を構成する非通気性シート又は通気性シートからなり、該非通気性シート又は通気性シートが前記袋体の外側へ延出する延出面を有し、該延出面が前記基材面部となることを特徴とする請求項１又は２記載の使い捨てカイロ。
【請求項４】
前記袋体は一面側を非通気性シートで、他面側を通気性シートで形成され、
前記非通気性シートが、ポリエチレンフィルムの上に不織布を積層してなり、前記貼付部材の固定面が前記非通気性シートの延出面に熱圧着されていることを特徴とする請求項３記載の使い捨てカイロ。
【請求項５】
前記貼付部材の展開面に部分的に剥離処理を施して、折畳み状態にある貼付部材を展開する際の摘み部を確保したことを特徴とする請求項１〜４のいずれか記載の使い捨てカイロ。
【請求項６】
前記基材面部が袋体外側の一又は複数箇所に形成され、それぞれの基材面部に貼付部材が固定されている請求項１〜５のいずれか記載の使い捨てカイロ。
【請求項７】
前記袋体が、前記発熱材を封入するための区画空間を、該袋体の長手方向に対し隣接状に複数備え、且つ隣接する前記発熱材封入空間同士の間に屈曲代を形成すると共に、該袋体の長手方向両端に前記貼付手段を設けたことを特徴とする請求項１〜６のいずれか記載の使い捨てカイロ。
【請求項８】
前記二つ折り状の貼付部材に代えて、三つ折り状に折り曲げられた貼付部材を備え、その一端部分が前記基材面部に固定された固定面となり、他端部分と中間部分がそれぞれ展開面となり、これら展開面同士の互いに接離するそれぞれの内面において、他端部分の展開面の内面に粘着層を設け、中間部分の展開面の内面を剥離処理して、
前記貼付部材が、前記袋体の外側に配置され、且つ三つ折り状の折畳み状態から展開可能であって、該展開状態において被貼付箇所への貼り付けが可能となることを特徴とする請求項１〜７のいずれか記載の使い捨てカイロ。
【発明の詳細な説明】
【技術分野】
【０００１】
本発明は使い捨てカイロに関し、詳しくは、発熱材を封入した袋体を、使用者の体や衣類などに貼り付けて使用する、貼るタイプの使い捨てカイロに関する。
【背景技術】
【０００２】
従来から、発熱材を封入した袋体の表面に粘着剤層を形成し、該粘着剤層の表面を剥離紙で覆った貼るタイプの使い捨てカイロが知られている（例えば特許文献１〜３など参照）。
【０００３】
この種従来の使い捨てカイロによれば、使用時に剥がした剥離紙がゴミになるという問題があり、近年における地球環境保護等の観点から、使い捨てカイロにおいても、可能な限り不要なゴミを削減する必要性がある。
【０００４】
このような問題を解消するために、本出願人は、発熱材を封入した袋体表面の粘着剤層を、貼付用テープ（所謂「Ｖテープ」）で形成した使い捨てカイロを先に提案した（例えば特許文献４など参照）。
ここで言う貼付用テープは、二つ折り状に折り曲げられ、その一半部が袋体表面に固定された固定面をなし、他半部が展開面をなし、これら固定面と展開面の互いに接離するそれぞれの内面において、展開面側の内面に粘着層を設け、固定面側の内面を剥離処理したもので、通常、使い捨ておむつや生理用ナプキンなどに用いられている（例えば特許文献５など参照）。
【０００５】
【特許文献１】特開平７−２６５３４６号公報
【特許文献２】特開２０００−８０３３７号公報
【特許文献３】特開２００５−５８４２５号公報
【特許文献４】特願２００７−２８３７７号
【特許文献５】特開平５−９３１７４号公報
【発明の開示】
【発明が解決しようとする課題】
【０００６】
上記した本出願人による先提案の使い捨てカイロは、粘着剤層を上記Ｖテープで構成したから、剥離紙が不要となる利点を奏する。しかしながらその技術内容についてより詳細に検討したところ、袋体の表面にＶテープを固定しているので、袋体を製造する際に熱圧着による影響が懸念され、この点に改良の余地を残していた。
すなわち、通常、この種使い捨てカイロは、四角形状の通気性シートと非通気性シートの周縁部同士を熱圧着することで袋体を成形しており、予めＶテープが固定された通気性シート又は非通気性シートを用いた場合、袋体成形のための熱圧着時にＶテープがその熱影響を受ける虞れがある。
袋体の成形後に、接着剤などを用いてＶテープを固定することも考えられるが、製造の手間やコストなどを考慮すれば、予めＶテープが固定された通気性シート又は非通気性シートを用いて、袋体を成形した方が好ましいことは言うまでもない。
【０００７】
本発明は上述したような従来事情に鑑みてなされたもので、その目的とする処は、被貼付箇所への貼付け手段として前記Ｖテープなどを用いることで剥離紙を不要とし、且つ、容易に製造することができる新規な使い捨てカイロを提供することにある。
【課題を解決するための手段】
【０００８】
以上の目的を達成する為に本発明は、通気性を有する扁平状の袋体内に発熱材を封入した使い捨てカイロであって、前記袋体を被貼付箇所に貼り付けるための貼付手段を備え、
前記貼付手段は、前記袋体の外縁から連なる基材面部と、該基材面部の一面側に固定された貼付部材からなり、
前記貼付部材は、テープ状又はシート状を成し、二つ折り状に折り曲げられた一半部分が前記基材面部に固定された固定面となり、他半部分が展開面となり、これら固定面と展開面の互いに接離するそれぞれの内面において、展開面側の内面に粘着層を設け、固定面側の内面を剥離処理して、
前記貼付部材が、前記袋体の外側に配置され、且つ二つ折り状の折畳み状態から展開可能であって、該展開状態において前記粘着層が露呈して被貼付箇所への貼り付けが可能となることを特徴とする。
【０００９】
前記袋体は通常、外周を熱圧着して形成され、前記貼付部材が、該袋体の熱圧着部分の外側に配置される。
【００１０】
また、前記袋体は通常、一面を非通気性シート、他面を通気性シートで形成されるか、又は、両面を通気性シートで形成される。
【００１１】
前記基材面部は前記袋体を構成する非通気性シート又は通気性シートからなり、該非通気性シート又は通気性シートが前記袋体の外側へ延出する延出面を有し、該延出面が前記基材面部となると良い。
【００１２】
前記袋体は一面側を非通気性シートで、他面側を通気性シートで形成され、
前記非通気性シートが、ポリエチレンフィルムの上に不織布を積層してなり、前記貼付用テープの固定面が前記非通気性シートの延出面に熱圧着されていることが好ましい。
【００１３】
前記貼付用テープの展開面に部分的に剥離処理を施して、折畳み状態にある貼付用テープを展開する際の摘み部を確保すると良い。
【００１４】
前記基材面部が袋体外側の一又は複数箇所に形成され、それぞれの基材面部に貼付用テープが固定されていると良い。
【００１５】
前記袋体が、前記発熱材を封入するための区画空間を、該袋体の長手方向に対し隣接状に複数備え、且つ隣接する前記発熱材封入空間同士の間に屈曲代を形成すると共に、該袋体の長手方向両端に前記貼付手段を設けると良い。
【００１６】
前記二つ折り状（Ｖ形）の貼付部材に代えて、三つ折り状（Ｚ形）に折り曲げられた貼付部材を備え、その一端部分が前記基材面部に固定された固定面となり、他端部分と中間部分がそれぞれ展開面となり、これら展開面同士の互いに接離するそれぞれの内面において、他端部分の展開面の内面に粘着層を設け、中間部分の展開面の内面を剥離処理して、
前記貼付部材が、前記袋体の外側に配置され、且つ三つ折り状の折畳み状態から展開可能であって、該展開状態において被貼付箇所への貼り付けが可能となるよう構成することもできる。
【発明の効果】
【００１７】
本発明の使い捨てカイロは以上説明したように、二つ折り状又は三つ折り状の折畳み状態から展開可能で、展開状態において粘着層が露呈して被貼付箇所への貼り付けが可能となる貼付部材を備えるから、剥離紙などが不要となってゴミを低減することができる。
また、貼付部材が袋体の外側に配置されているので、袋体成形時に貼付部材が悪影響を受ける虞れを低減し、従来と同様の方法、設備等を用いての製造が可能になる。
【００１８】
一面側が非通気性シートからなり、他面側が通気性シートからなる袋体とし、該非通気性シートがポリエチレンフィルムの上に不織布（好ましくはナイロン製不織布）を積層したものである場合、この非通気性シートの延出面における前記不織布に対し、貼付部材の固定面を容易に熱圧着することができる。
【００１９】
貼付部材の展開面に部分的に剥離処理を施した場合、折畳み状態にある貼付部材を展開する際の摘み部が確保され、該摘み部を摘んで貼付部材を容易に展開することができる。
【００２０】
基材面部を袋体外側の一箇所に形成しその基材面部に貼付部材を固定することもできるが、基材面部を袋体外側の複数箇所に形成し各基材面部に貼付部材を固定した場合、被貼付箇所に対する袋体の固定が確実になるなどの利点がある。
【００２１】
袋体に、発熱材を封入するための区画空間を複数設け、隣接する発熱材封入空間同士の間に屈曲代を形成し、該袋体の長手方向両端に貼付手段を設けた場合、長手方向に対して屈曲性を備えた袋体となり、その両端に貼付手段を備えた形態となるので、袋体や貼付手段の長さを適宜設定することで、例えば使用者の腕、脚、腹などに巻き付けての使用が可能になるなど、多くの効果を奏する。
【発明を実施するための最良の形態】
【００２２】
以下、本発明に係る使い捨てカイロの実施形態の例を図面に基づき説明する。
【００２３】
図１〜図４に示す使い捨てカイロは、扁平状の袋体２内に発熱材１が封入されていると共に、この袋体２の長手方向両端に貼付手段３，３を備えてなる。
発熱材１は、例えば鉄粉、水、バーキュライト、活性炭、塩類等を混合した混合粉体であり、空気中の酸素と反応して適度に発熱する。尚、前記発熱材として、前記混合粉体をシート状に成形したり、シート状物に前記混合粉体を保持させたりしたもの等を用いることもできる。
【００２４】
袋体２は、内部の発熱材１に酸素を供給する為に少なくともその一部が通気性を有しており、本例では、ほぼ同じ大きさの四角形状の通気性シート４と非通気性シート５の周縁部同士を熱圧着して接合することにより、周縁部に接合代（熱圧着代）６を備え、内部が発熱材封入空間７となる扁平袋状に形成される。
尚、本例では、発熱材封入空間７が左右に隣接するよう区画形成され、それら隣接する発熱材封入空間７，７同士の間に屈曲自在な屈曲代８を形成して、長手方向に対し屈曲性を備えた袋体としている。
【００２５】
袋体２の一面側を形成する非通気性シート５は、ポリエチレンなどからなる非通気性フィルムの表面側に、ナイロン、ポリプロピレン、ポリエチレンなどからなる不織布（好ましくはナイロン製不織布）を積層して複層化したシートからなる。袋体２の他面側を形成する通気性シート４は、ポリエチレンなどからなる多孔質の通気性フィルムの表面側に、ナイロン、ポリプロピレン、ポリエチレンなどからなる不織布を積層して複層化したシートからなる。
すなわち、袋体２は一面側と他面側の双方において不織布が最外層となり、使用者が手に持った際などの感触を良好なものとし得る共に、非通気性シート５においては、後述する貼付用テープ１０を熱圧着等により固定する際の耐熱性が確保されている。
また、非通気性シート５は袋体２の外側へ延出する延出面５ａを有し、この延出面５ａが、後述する基材面部となる。
【００２６】
貼付手段３は、袋体２の外縁から連なる前述の基材面部５ａと、この基材面部５ａの外層側（前記した不織布層側）に固定された貼付部材１０からなる。
本例の貼付部材１０は、二つ折り状に折り曲げられた貼付用テープ（所謂「Ｖテープ」）であり、基材１１として、ポリエチレンフィルム層１１ａの表面側に不織布層１１ｂを積層し、さらにその表面を表面処理して、使用者に触れた際の肌触りと耐熱性を備えた積層シートを用いている。
【００２７】
貼付用テープ１０の一半部分は、前記基材面部５ａの不織布層にホットメルト等の粘着剤１２で固着されて固定面１０ａとなり、他半部分は、折曲げ、展開自在な展開面１０ｂとなる。
固定面１０ａと展開面１０ｂの互いに接離するそれぞれの内面において、展開面側の内面には粘着層１３が設けられ、固定面側の内面は剥離処理１４がなされている。
展開面１０ｂの端部には部分的に剥離処理を施して、折畳み状態にある貼付用テープ１０を展開する際の摘み部１５を確保してある。
そして、それぞれの貼付用テープ１０が、袋体２の外側（接合代６の外側）に配置され、且つ二つ折り状の折畳み状態から展開状態に変形可能であって、該展開状態において前記粘着層１３が露呈し、被貼付箇所への貼り付けが可能となる。
【００２８】
尚、貼付用テープ１０において、前述の粘着剤１２を使用せず、基材１１又は非通気性シート５の材質を適宜選択し、熱圧着により直接基材面部５ａに固定するようにするなど、既存の各種固着手段を用いることができる。
【００２９】
以上のように構成した本例の使い捨てカイロによれば、折畳み状態から展開状態に変形可能な貼付用テープ１０を用いて被貼付箇所へ貼り付けるようにしたので、剥離紙などが不要となってゴミを低減することができる。
また、貼付用テープ１０が袋体２の外側に配置されているので、熱圧着などにより袋体２を成形する際に貼付用テープ１０が影響を受ける虞れがなく、従来と同様の方法、設備等を用いて製造することができる。さらに、非通気性シート５として、ポリエチレンフィルムの上にナイロン製不織布を積層したものを用いることで、延出面（基材面部）５ａにおける前記不織布に対し、貼付用テープ１０の固定面１０ａを容易に熱圧着することができる。これにより、製造の手間やコストなどを低減し得、信頼性の高い製品を低コストで提供することが可能になる。
また、隣接する発熱材封入空間７，７同士の間に屈曲代８を有すると共に、長手方向両端に貼付用テープ１０を備えるので、袋体２や貼付用テープ１０などの長さを適宜設定すれば、使用者の腕、脚、腹などに巻き付けての使用が可能になるなどの利点を有する。
【００３０】
図５には、本例の使い捨てカイロの製造に用いる長尺状の非通気性シート５の一例を示す。該非通気性シート５は前述したように、ポリエチレンフィルムの上にナイロン不織布を積層した複層シートで、袋体２の外側へ延出する延出面（基材面部）５ａを左右両端に有する幅を備えてロール状に巻回されており、左右の延出面（基材面部）５ａにおけるナイロン不織布層側に、長尺状の貼付用テープ１０が、二つ折り状態で予め固着されている。
【００３１】
図６には、前述した実施形態例における貼付用テープの変更例を示す。
すなわち、この例では、前記二つ折り状の貼付用テープ（Ｖテープ）１０に代えて、三つ折り状に折り曲げられたＺ形の貼付用テープ１０’を用いている。
この貼付用テープ１０’は、一端部分が前記基材面部５ａに固定された固定面１０ａとなり、他端部分と中間部分がそれぞれ展開面１０ｂ，１０ｃとなり、これら展開面１０ｂ，１０ｃ同士の互いに接離するそれぞれの内面において、他端部分の展開面１０ｂの内面に粘着層１３を設け、中間部分の展開面１０ｃの内面を剥離処理１４して、三つ折り状の折畳み状態から展開可能となっており、その展開状態において粘着層１３が露呈し、被貼付箇所への貼り付けが可能となる。
それ以外の構成は前述の実施形態例を同じの為、重複する説明、図示は省略する。
【００３２】
以上、本発明の実施形態例を図面に基づき説明したが、本発明は図示例に限定されるものではなく、特許請求の範囲に記載された技術的思想の範疇において各種変更が可能であることは言うまでもない。
【図面の簡単な説明】
【００３３】
【図１】本発明に係る使い捨てカイロの実施形態の一例を示す平面図。
【図２】貼付用テープの拡大断面図で、展開途中の状態を示す。
【図３】貼付用テープにおける基材の拡大断面図。
【図４】図１に示す使い捨てカイロの中央縦断正面図で、貼付用テープの展開状態を示す。
【図５】図１に示す使い捨てカイロの製造に用いる貼付用テープ付き非通気性シートをロール状に巻回した状態の斜視図。
【図６】貼付用テープの変形例を示す要部拡大断面図。
【符号の説明】
【００３４】
１：発熱材
２：袋体
３：貼付手段
４：通気性シート
５：非通気性シート
５ａ：基材面部（延出面）
６：接合代（熱圧着代）
７：発熱材封入空間
８：屈曲代
１０：貼付用テープ（貼付部材）
１０ａ：固定面
１０ｂ：展開面
１３：粘着層
１４：剥離処理
１５：摘み部
【図１】
2008301935.tif 000003
【図２】
2008301935.tif 000004
【図３】
2008301935.tif 000005
【図４】
2008301935.tif 000006
【図５】
2008301935.tif 000007
【図６】
2008301935.tif 000008